(57)【要約】【課題】複数種類のレンズユニットを着脱自在に装着可能なデジタル一眼レフカメラ等の撮像装置において、装着したレンズユニットに適した撮影条件を設定することが可能な撮像装置およびプログラムを提供すること。【解決手段】装着したレンズユニットの種類を判断するレンズユニット判断手段と、レンズユニットによって形成された被写体像を電気信号に変換する固体撮像素子の種類を判断する固体撮像素子判断手段と、レンズユニット判断手段によって判断されたレンズユニットの種類と固体撮像素子判断手段によって判断された固体撮像素子の種類とに基づいて、現在の撮影条件が適切な撮影条件であるか否かを判断する撮影条件判断手段と、撮影条件判断手段によって現在の撮影条件が適切な撮影条件でないと判断された場合、撮影条件を適切な撮影条件に再設定する撮影条件設定手段とを備える。【選択図】図４
2008022447.tif 000002
【特許請求の範囲】
【請求項１】
複数種類のレンズユニットを着脱自在に装着可能な撮像装置であって、
装着したレンズユニットの種類を判断するレンズユニット判断手段と、
前記レンズユニットによって形成された被写体像を電気信号に変換する固体撮像素子の種類を判断する固体撮像素子判断手段と、
前記レンズユニット判断手段によって判断された前記レンズユニットの種類と前記固体撮像素子判断手段によって判断された前記固体撮像素子の種類とに基づいて、現在の撮影条件が適切な撮影条件であるか否かを判断する撮影条件判断手段と、
前記撮影条件判断手段によって現在の撮影条件が適切な撮影条件でないと判断された場合、前記撮影条件を適切な撮影条件に再設定する撮影条件設定手段と、
を備えることを特徴とする撮像装置。
【請求項２】
前記撮影条件設定手段は、前記撮影条件判断手段によってケラレが発生すると判断された場合、ケラレが発生していない領域のみを切り出すように前記撮影条件を再設定することを特徴とする請求項１に記載の撮像装置。
【請求項３】
前記撮影条件設定手段は、前記撮影条件判断手段によってフラッシュ発光量が適切でないと判断された場合、適切なフラッシュ発光量に前記撮影条件を再設定することを特徴とする請求項１または２に記載の撮像装置。
【請求項４】
前記撮影条件設定手段は、前記撮影条件判断手段によってレンズフード量が適切でないと判断された場合、適切なレンズフード量に前記撮影条件を再設定することを特徴とする請求項１乃至３の何れか１項に記載の撮像装置。
【請求項５】
前記撮影条件設定手段は、前記撮影条件判断手段によってレンズ移動範囲が適切でないと判断された場合、適切なレンズ移動範囲に前記撮影条件を再設定することを特徴とする請求項１乃至４の何れか１項に記載の撮像装置。
【請求項６】
コンピュータを、
装着したレンズユニットの種類を判断するレンズユニット判断手段、
前記レンズユニットによって形成された被写体像を電気信号に変換する固体撮像素子の種類を判断する固体撮像素子判断手段、
前記レンズユニット判断手段によって判断された前記レンズユニットの種類と前記固体撮像素子判断手段によって判断された前記固体撮像素子の種類とに基づいて、現在の撮影条件が適切な撮影条件であるか否かを判断する撮影条件判断手段、
前記撮影条件判断手段によって現在の撮影条件が適切な撮影条件でないと判断された場合、前記撮影条件を適切な撮影条件に再設定する撮影条件設定手段、
として機能させるための撮像プログラム。
【発明の詳細な説明】
【技術分野】
【０００１】
本発明は、デジタルカメラ等の撮像装置および撮像プログラムに関し、特に、交換したレンズユニットに応じて撮影条件を変えることが可能な撮像装置および撮像プログラムに関する。
【背景技術】
【０００２】
従来、銀塩フィルムを遮光する第１の裏蓋とＣＣＤ等の固体撮像素子を搭載する第２の裏蓋とをカメラ本体に選択的に装着することによって、銀塩フィルム撮影とデジタル画像撮影とが選択的に行なうことが可能な銀塩フィルムおよびデジタル兼用カメラに関する技術が開示されている。該銀塩フィルムおよびデジタル兼用カメラにおいて、固体撮像素子を用いてデジタル画像撮影を行なう際には、適正な露光量、合焦条件を設定することが可能となっている（例えば、特許文献１参照。）。
【０００３】
また、デジタル一眼レフカメラの固体撮像素子には、例えば（１）ＡＰＳ−Ｃサイズ（縦：約１５．５ｍｍ，横：約２３．３ｍｍ，対角：約２７．９ｍｍ）固体撮像素子と（２）３５ｍｍフルサイズ（縦：３６ｍｍ，横：２４ｍｍ，対角：４３．２７ｍｍ）固体撮像素子とがあり、交換レンズユニットにも、例えば（Ａ）ＡＰＳ−Ｃサイズ用レンズユニットと（Ｂ）３５ｍｍフルサイズ用レンズユニットとがあり、画角も異なっている。
【特許文献１】特開２００３−２８７７８２号公報
【発明の開示】
【発明が解決しようとする課題】
【０００４】
しかしながら、従来のデジタル一眼レフカメラにおいては、上述したように固体撮像素子およびレンズユニットがそれぞれ複数種類あるため、例えば、（２）３５ｍｍフルサイズ固体撮像素子を備えるデジタル一眼レフカメラに（Ａ）ＡＰＳ−Ｃサイズ用レンズユニットを装着した場合のようにケラレが発生してしまう等の不具合が発生してしまうという問題点があった。
【０００５】
そこで、本発明は、上記問題点に鑑みてなされたものであり、複数種類のレンズユニットを着脱自在に装着可能なデジタル一眼レフカメラ等の撮像装置において、装着したレンズユニットに適した撮影条件を設定することが可能な撮像装置および撮像プログラムを提供することを目的とする。
【課題を解決するための手段】
【０００６】
本発明は、上記課題を解決するため、下記のような構成を採用した。
すなわち、本発明の一態様によれば、本発明の撮像装置は、複数種類のレンズユニットを着脱自在に装着可能な撮像装置であって、装着したレンズユニットの種類を判断するレンズユニット判断手段と、前記レンズユニットによって形成された被写体像を電気信号に変換する固体撮像素子の種類を判断する固体撮像素子判断手段と、前記レンズユニット判断手段によって判断された前記レンズユニットの種類と前記固体撮像素子判断手段によって判断された前記固体撮像素子の種類とに基づいて、現在の撮影条件が適切な撮影条件であるか否かを判断する撮影条件判断手段と、前記撮影条件判断手段によって現在の撮影条件が適切な撮影条件でないと判断された場合、前記撮影条件を適切な撮影条件に再設定する撮影条件設定手段とを備えることを特徴とする。
【０００７】
また、本発明の撮像装置は、前記撮影条件設定手段が、前記撮影条件判断手段によってケラレが発生すると判断された場合、ケラレが発生していない領域のみを切り出すように前記撮影条件を再設定することが望ましい。
【０００８】
また、本発明の撮像装置は、前記撮影条件設定手段が、前記撮影条件判断手段によってフラッシュ発光量が適切でないと判断された場合、適切なフラッシュ発光量に前記撮影条件を再設定することが望ましい。
【０００９】
また、本発明の撮像装置は、前記撮影条件設定手段が、前記撮影条件判断手段によってレンズフード量が適切でないと判断された場合、適切なレンズフード量に前記撮影条件を再設定することが望ましい。
【００１０】
また、本発明の撮像装置は、前記撮影条件設定手段が、前記撮影条件判断手段によってレンズ移動範囲が適切でないと判断された場合、適切なレンズ移動範囲に前記撮影条件を再設定することが望ましい。
【００１１】
また、本発明の一態様によれば、本発明のプログラムは、コンピュータを、装着したレンズユニットの種類を判断するレンズユニット判断手段、前記レンズユニットによって形成された被写体像を電気信号に変換する固体撮像素子の種類を判断する固体撮像素子判断手段、前記レンズユニット判断手段によって判断された前記レンズユニットの種類と前記固体撮像素子判断手段によって判断された前記固体撮像素子の種類とに基づいて、現在の撮影条件が適切な撮影条件であるか否かを判断する撮影条件判断手段、前記撮影条件判断手段によって現在の撮影条件が適切な撮影条件でないと判断された場合、前記撮影条件を適切な撮影条件に再設定する撮影条件設定手段として機能させるための撮像プログラムである。
【発明の効果】
【００１２】
本発明によれば、複数種類のレンズユニットを着脱自在に装着可能なデジタル一眼レフカメラ等の撮像装置において、装着したレンズユニットに適した撮影条件を設定することが出来る。
【発明を実施するための最良の形態】
【００１３】
以下、本発明の実施の形態について図面を参照しながら説明する。
図１は、本発明の概要を説明するための図である。
図１において、撮像装置１０Ａは、例えば、ＡＰＳ−ＣサイズのＣＣＤ等の固体撮像素子を有するデジタル一眼レフカメラであり、撮像装置１０Ｂは、例えば、３５ｍｍフルサイズのＣＣＤ等の固体撮像素子を有するデジタル一眼レフカメラである。これらの撮像装置１０Ａおよび撮像装置１０Ｂは、長さは異なるが径が同一である複数種類のレンズユニット４１（例えば、ＡＰＳ−Ｃサイズ用レンズユニット）およびレンズユニット４２（例えば、３５ｍｍフルサイズ用レンズユニット）を着脱自在に装着することが可能である。
【００１４】
そして、撮像装置１０Ａおよび撮像装置１０Ｂは、それぞれ、撮像装置１０Ａまたは撮像装置１０Ｂに組み込まれた、撮像装置１０Ａまたは撮像装置１０Ｂ自身を識別するためのＲＦＩＤ（Radio Frequency IDentification）を読み取り、さらに、交換したレンズユニット４１またはレンズユニット４２に組み込まれた、レンズユニット４１またはレンズユニット４２を識別するためのＲＦＩＤを読み取り、これらに応じて撮影条件を変える。
【００１５】
図２は、本発明を適用した撮像装置のハードウェア構成を示す図である。
図２において、撮像装置１０Ａおよび撮像装置１０Ｂは、それぞれ、ＣＰＵ（中央処理装置：Central Processing Unit）１１、電源のオンオフやシャッター、ズーム等の撮影に関する入力、各種のデータや信号等を入力するための入力部１２、撮像装置１０Ａまたは撮像装置１０Ｂにおいて実行する撮像処理を実行するプログラムの他、撮像装置１０Ａまたは撮像装置１０Ｂの各機能を制御し実行するための制御プログラムが収納されたメモリ１３、プログラムをダウンロードしたり、撮像画像をパソコンなどに転送したりする目的で、ＬＡＮ等のネットワークに接続するための伝送制御部１４、プログラムから出力された情報、撮像対象画像やその他の情報を表示するための表示部１５、被写体を撮像する撮像部１６、撮像部１６が撮像した画像を始め様々な情報を記録するための記録部１７、撮像装置１０Ａまたは撮像装置１０Ｂに組み込まれたＲＦＩＤおよびレンズユニット４１またはレンズユニット４２に組み込まれたＲＦＩＤを認識するためのＲＦＩＤ認識部１８がバス１９に接続されて構成され、ＣＰＵ１１がメモリ１３内の制御プログラムや撮像部１６の制御を始めこれらの各部を制御している。
【００１６】
そして、上述のようなハードウェアを備える撮像装置１０Ａおよび撮像装置１０Ｂは、それぞれ、本発明を実現するための機能として、レンズユニット判断手段と固体撮像素子判断手段と撮影条件判断手段と撮影条件設定手段とを有している。
【００１７】
レンズユニット判断手段は、例えば、レンズユニット４１またはレンズユニット４２に組み込まれたＲＦＩＤを読み取ることにより、装着したレンズユニットの種類を判断する。
【００１８】
固体撮像素子判断手段は、例えば、撮像装置１０Ａまたは撮像装置１０Ｂに組み込まれたＲＦＩＤを読み取ることにより、前記レンズユニットによって形成された被写体像を電気信号に変換する固体撮像素子の種類を判断する。
【００１９】
撮影条件判断手段は、前記レンズユニット判断手段によって判断された前記レンズユニットの種類と前記固体撮像素子判断手段によって判断された前記固体撮像素子の種類とに基づいて、現在の撮影条件が適切な撮影条件であるか否かを判断する。
【００２０】
撮影条件設定手段は、前記撮影条件判断手段によって現在の撮影条件が適切な撮影条件でないと判断された場合、前記撮影条件を適切な撮影条件に再設定する。
図３は、本発明を適用した撮像装置の概略を示す図である。
【００２１】
図３において、デジタル一眼レフカメラ等の撮像装置１０Ａおよび撮像装置１０Ｂは、それぞれ、レンズユニット４１またはレンズユニット４２、絞り２２、レンズユニット４１またはレンズユニット４２および絞り２２を駆動するための光学系駆動部２４、固体撮像素子であるＣＣＤ（電荷結合素子）２３、ＣＣＤ２３から出力された電気信号をサンプリングするＣＤＳ（相関２重サンプリング）回路やＣＤＳ回路が出力する電気信号を増幅する可変利得増幅器（ＡＧＣアンプ：ＶＧ（可変）アンプ）等のアナログ処理部２７、ＣＣＤ２３およびアナログ処理部２７を制御するための取込制御部２６、アナログ処理部２７が出力する電気信号をＡ／Ｄ（アナログ／デジタル）変換してデジタルの画像データを出力するＡ／Ｄ変換部２８、Ａ／Ｄ変換部２８から出力された画像データを一時的格納するバッファ２９、信号処理回路３０、および画像データを圧縮したり伸長したりする圧縮伸長回路３１がバス１９を介して接続されている。
【００２２】
図４は、本発明を適用した撮像装置において実行される撮像処理のメインの流れを示すフローチャートである。
まず、電源がオンされると表示部１５にモードの一覧が表示されたモード選択画面が表示され、ステップＳ４１において、入力部１２の操作により、撮影モード、その他のさまざまなモードの選択を行う。そして、ステップＳ４２において、ステップＳ４１で選択したモードが撮影モード、あるいはその他のモードであるのかの解析を行う。
【００２３】
ステップＳ４３において、ステップＳ４２で解析したモードが撮影モードであるのか否かを判断する。そして、撮影モードでないと判断された場合（ステップＳ４３：Ｎｏ）は、ステップＳ４４において、指定されているモードに応じた処理を実行する。例えば、再生モードが指定されていた場合は、再生する画像が格納されているフォルダを指定して該当する画像を再生表示する。あるいはフラッシュ発光の設定など他の処理を行う。
【００２４】
次に、ステップＳ４５において、入力部１２の操作によりモード切替が実行されたか否か、すなわち、現在のモードから撮影モードへ、あるいは現在のモード以外のその他のモードへとモードの切り替えが実行されたか否かを判断する。モードの切り替えが実行されたと判断された場合（ステップＳ４５：Ｙｅｓ）は、ステップＳ４２に戻り、モードの切り替えが実行されていないと判断された場合（ステップＳ４５：Ｎｏ）は、ステップＳ４６において、本撮像処理を終了するか否かを判断し、終了しないと判断された場合（ステップＳ４６：Ｎｏ）は、ステップＳ４４に戻り、終了すると判断された場合、例えば電源キーの操作により主電源のオフが指示された場合（ステップＳ４６：Ｙｅｓ）は、本撮像処理を終了する。
【００２５】
他方、ステップＳ４３で撮影モードであると判断された場合（ステップＳ４３：Ｙｅｓ）は、ステップＳ４７において、撮像装置１０Ａまたは撮像装置１０Ｂに組み込まれたＲＦＩＤを読み取り、撮像装置１０Ａまたは撮像装置１０Ｂの情報（種類）を取得し、ステップＳ４８において、ステップＳ４７で取得したＲＦＩＤが撮像装置１０Ａ（例えば、ＡＰＳ−ＣサイズのＣＣＤ等の固体撮像素子を有するデジタル一眼レフカメラ）を示すＩＤであるのか否か（撮像装置１０Ｂ（例えば、３５ｍｍフルサイズのＣＣＤ等の固体撮像素子を有するデジタル一眼レフカメラ）を示すＩＤであるか）を判断する。
【００２６】
ステップＳ４７で取得したＲＦＩＤが撮像装置１０Ａ、すなわち、ＡＰＳ−ＣサイズのＣＣＤ等の固体撮像素子を有するデジタル一眼レフカメラを示すＩＤであるとステップＳ４８で判断された場合（ステップＳ４８：Ｙｅｓ）は、ステップＳ４９において、ＡＰＳ−ＣサイズのＣＣＤ等の固体撮像素子を有するデジタル一眼レフカメラであることをメモリ１３に記憶し、ステップＳ４７で取得したＲＦＩＤが撮像装置１０Ｂ、すなわち、３５ｍｍフルサイズのＣＣＤ等の固体撮像素子を有するデジタル一眼レフカメラを示すＩＤであるとステップＳ４８で判断された場合（ステップＳ４８：Ｎｏ）は、ステップＳ５０において、３５ｍｍフルサイズのＣＣＤ等の固体撮像素子を有するデジタル一眼レフカメラであることをメモリ１３に記憶する。
【００２７】
次に、ステップＳ５１において、撮像装置１０Ａまたは撮像装置１０Ｂに取り付けられたレンズユニット４１またはレンズユニット４２に組み込まれたＲＦＩＤを読み取り、レンズユニット４１またはレンズユニット４２の情報（種類）を取得し、ステップＳ５２において、ステップＳ５１で取得したＲＦＩＤがレンズユニット４１（例えば、ＡＰＳ−Ｃサイズ用レンズユニット）を示すＩＤであるのか否か（レンズユニット４２（例えば、３５ｍｍフルサイズ用レンズユニット）を示すＩＤであるか）を判断する。
【００２８】
ステップＳ５１で取得したＲＦＩＤがレンズユニット４１、すなわち、ＡＰＳ−Ｃサイズ用レンズユニットを示すＩＤであるとステップＳ５２で判断された場合（ステップＳ５２：Ｙｅｓ）は、ステップＳ５３において、ＡＰＳ−Ｃサイズ用レンズユニットであることをメモリ１３に記憶し、ステップＳ５１で取得したＲＦＩＤがレンズユニット４２、すなわち、３５ｍｍフルサイズ用レンズユニットを示すＩＤであるとステップＳ５２で判断された場合（ステップＳ５２：Ｎｏ）は、ステップＳ５４において、３５ｍｍフルサイズ用レンズユニットであることをメモリ１３に記憶する。
【００２９】
次に、ステップＳ５５において、サブルーチン「フード移動処理」を実行し、ステップＳ５６において、サブルーチン「リミッター対応処理」を実行する。
図５は、サブルーチン「フード移動処理」の流れを示すフローチャートであり、図６は、カメラフードと固体撮像素子との関係を示す図である。
【００３０】
まず、ステップＳ７１において、図４のステップＳ４７で取得したＲＦＩＤが撮像装置１０Ｂ（例えば、３５ｍｍフルサイズのＣＣＤ等の固体撮像素子を有するデジタル一眼レフカメラ）を示すＩＤであるのか否か（撮像装置１０Ａ（例えば、ＡＰＳ−ＣサイズのＣＣＤ等の固体撮像素子を有するデジタル一眼レフカメラ）を示すＩＤであるか）を判断する。そして、図４のステップＳ４７で取得したＲＦＩＤが３５ｍｍフルサイズのＣＣＤ等の固体撮像素子を有するデジタル一眼レフカメラを示すＩＤであるとステップＳ７１で判断された場合（ステップＳ７１：Ｙｅｓ）は、続くステップＳ７２において、図４のステップＳ５１で取得したＲＦＩＤがレンズユニット４１（例えば、ＡＰＳ−Ｃサイズ用レンズユニット）を示すＩＤであるのか否か（レンズユニット４２（例えば、３５ｍｍフルサイズ用レンズユニット）を示すＩＤであるか）を判断する。
【００３１】
図４のステップＳ５１で取得したＲＦＩＤがＡＰＳ−Ｃサイズ用レンズユニットを示すＩＤでないと、ステップＳ７２で判断された場合（ステップＳ７２：Ｎｏ）、すなわち、図４のステップＳ４７で取得したＲＦＩＤが３５ｍｍフルサイズのＣＣＤ等の固体撮像素子を有するデジタル一眼レフカメラを示すＩＤであり、かつ、図４のステップＳ５１で取得したＲＦＩＤが３５ｍｍフルサイズ用レンズユニットを示すＩＤであると判断された場合は、ステップＳ７３において、３５ｍｍフルサイズ用の移動量にカメラフードの移動量を設定する（図６（Ｂ）参照。）。
【００３２】
他方、図４のステップＳ４７で取得したＲＦＩＤがＡＰＳ−ＣサイズのＣＣＤ等の固体撮像素子を有するデジタル一眼レフカメラを示すＩＤであるとステップＳ７１で判断された場合（ステップＳ７１：Ｎｏ）、あるいは、図４のステップＳ５１で取得したＲＦＩＤがＡＰＳ−Ｃサイズ用レンズユニットを示すＩＤであるとステップＳ７２で判断された場合（ステップＳ７２：Ｙｅｓ）は、ステップＳ７４において、ＡＰＳ−Ｃサイズ用の移動量にカメラフードの移動量を設定する（図６（Ａ）参照。）。
【００３３】
そして、ステップＳ７５において、ステップＳ７３あるいはステップＳ７４で設定したカメラフードの移動量でカメラフードを移動させる。これにより、太陽光を遮断し、かつ、ケラレが発生しない位置にカメラフードを自動的に移動することができる。
【００３４】
図７は、サブルーチン「リミッター対応処理」の流れを示すフローチャートである。
まず、ステップＳ８１において、撮像装置１０Ａあるいは撮像装置１０Ｂに装着されたレンズユニット４１あるいはレンズユニット４２がズームレンズの場合、そのズーム範囲を制限するためのリミットスイッチ４３がオンされているか否かを判断する。
【００３５】
図８は、ズームレンズのリミットスイッチを説明するための図である。
リミットスイッチ４３とは、図８に示したように、例えば、レンズユニット４１あるいはレンズユニット４２本体の所定位置に設置され、本来の性能として有するフォーカス距離の最小値から最大値までの全フォーカス範囲においてフォーカス位置の変更を可能にするフルレンジ（ＦＵＬＬ）と、本来の性能として有するフォーカス距離の最小値から制限された所定の値までのみを変更可能にするリミットレンジ（ＬＩＭＩＴ）とを切り替えるスイッチである。
【００３６】
図９は、ズームレンズのリミットスイッチによる焦点距離の範囲を表にした図である。
図９に示したように、レンズユニット４２が３５ｍｍフルサイズ用レンズユニットの時、リミットスイッチ４３がリミット（ＬＩＭＩＴ）の位置であれば、１ｃｍから２０ｃｍの範囲でオートフォーカス制御され、リミットスイッチ４３がフル（ＦＵＬＬ）の位置であれば、１ｃｍから∞（無限大）の範囲でオートフォーカス制御される。また、装着されたレンズユニット４１がＡＰＳ−Ｃサイズ用レンズユニットの時、リミットスイッチ４３がリミット（ＬＩＭＩＴ）の位置であれば、１．５ｃｍから３０ｃｍの範囲でオートフォーカス制御され、リミットスイッチ４３がフル（ＦＵＬＬ）の位置であれば、１．５ｃｍから∞（無限大）の範囲でオートフォーカス制御される。
【００３７】
図７の説明に戻り、ステップＳ８１でリミットスイッチ４３がオンされている（リミット側に倒されている）と判断された場合（ステップＳ８１：Ｙｓｅ）は、ステップＳ８２において、図４のステップＳ４７で取得したＲＦＩＤが撮像装置１０Ｂ（例えば、３５ｍｍフルサイズのＣＣＤ等の固体撮像素子を有するデジタル一眼レフカメラ）を示すＩＤであるのか否か（撮像装置１０Ａ（例えば、ＡＰＳ−ＣサイズのＣＣＤ等の固体撮像素子を有するデジタル一眼レフカメラ）を示すＩＤであるか）を判断する。そして、図４のステップＳ４７で取得したＲＦＩＤが３５ｍｍフルサイズのＣＣＤ等の固体撮像素子を有するデジタル一眼レフカメラを示すＩＤであるとステップＳ８２で判断された場合（ステップＳ８２：Ｙｅｓ）は、続くステップＳ８３において、図４のステップＳ５１で取得したＲＦＩＤがレンズユニット４１（例えば、ＡＰＳ−Ｃサイズ用レンズユニット）を示すＩＤであるのか否か（レンズユニット４２（例えば、３５ｍｍフルサイズ用レンズユニット）を示すＩＤであるか）を判断する。
【００３８】
図４のステップＳ５１で取得したＲＦＩＤがＡＰＳ−Ｃサイズ用レンズユニットを示すＩＤでないと、ステップＳ８３で判断された場合（ステップＳ８３：Ｎｏ）、すなわち、図４のステップＳ４７で取得したＲＦＩＤが３５ｍｍフルサイズのＣＣＤ等の固体撮像素子を有するデジタル一眼レフカメラを示すＩＤであり、かつ、図４のステップＳ５１で取得したＲＦＩＤが３５ｍｍフルサイズ用レンズユニットを示すＩＤであると判断された場合は、ステップＳ８４において、３５ｍｍフルサイズのリミットレンジ値で制御する。
【００３９】
他方、図４のステップＳ４７で取得したＲＦＩＤがＡＰＳ−ＣサイズのＣＣＤ等の固体撮像素子を有するデジタル一眼レフカメラを示すＩＤであるとステップＳ８２で判断された場合（ステップＳ８２：Ｎｏ）、あるいは、図４のステップＳ５１で取得したＲＦＩＤがＡＰＳ−Ｃサイズ用レンズユニットを示すＩＤであるとステップＳ８３で判断された場合（ステップＳ８３：Ｙｅｓ）は、ステップＳ８５において、ＡＰＳ−Ｃサイズのリミットレンジ値で制御する。
【００４０】
また、ステップＳ８１でリミットスイッチ４３がオフされている（フル側に倒されている）と判断された場合（ステップＳ８１：Ｎｏ）は、ステップＳ８６において、図４のステップＳ４７で取得したＲＦＩＤが撮像装置１０Ｂ（例えば、３５ｍｍフルサイズのＣＣＤ等の固体撮像素子を有するデジタル一眼レフカメラ）を示すＩＤであるのか否か（撮像装置１０Ａ（例えば、ＡＰＳ−ＣサイズのＣＣＤ等の固体撮像素子を有するデジタル一眼レフカメラ）を示すＩＤであるか）を判断する。そして、図４のステップＳ４７で取得したＲＦＩＤが３５ｍｍフルサイズのＣＣＤ等の固体撮像素子を有するデジタル一眼レフカメラを示すＩＤであるとステップＳ８６で判断された場合（ステップＳ８６：Ｙｅｓ）は、続くステップＳ８７において、図４のステップＳ５１で取得したＲＦＩＤがレンズユニット４１（例えば、ＡＰＳ−Ｃサイズ用レンズユニット）を示すＩＤであるのか否か（レンズユニット４２（例えば、３５ｍｍフルサイズ用レンズユニット）を示すＩＤであるか）を判断する。
【００４１】
図４のステップＳ５１で取得したＲＦＩＤがＡＰＳ−Ｃサイズ用レンズユニットを示すＩＤでないと、ステップＳ８７で判断された場合（ステップＳ８７：Ｎｏ）、すなわち、図４のステップＳ４７で取得したＲＦＩＤが３５ｍｍフルサイズのＣＣＤ等の固体撮像素子を有するデジタル一眼レフカメラを示すＩＤであり、かつ、図４のステップＳ５１で取得したＲＦＩＤが３５ｍｍフルサイズ用レンズユニットを示すＩＤであると判断された場合は、ステップＳ８８において、３５ｍｍフルサイズのフルレンジ値で制御する。
【００４２】
他方、図４のステップＳ４７で取得したＲＦＩＤがＡＰＳ−ＣサイズのＣＣＤ等の固体撮像素子を有するデジタル一眼レフカメラを示すＩＤであるとステップＳ８６で判断された場合（ステップＳ８６：Ｎｏ）、あるいは、図４のステップＳ５１で取得したＲＦＩＤがＡＰＳ−Ｃサイズ用レンズユニットを示すＩＤであるとステップＳ８７で判断された場合（ステップＳ８７：Ｙｅｓ）は、ステップＳ８９において、ＡＰＳ−Ｃサイズのフルレンジ値で制御する。
【００４３】
図４の説明に戻り、ステップＳ５７において、シャッターが押されたか（操作されたか）否かを判断し、シャッター操作されたと判断された場合（ステップＳ５７：Ｙｅｓ）は、ステップＳ５８において、サブルーチン「フラッシュ制御処理」を実行する。
【００４４】
図１０は、サブルーチン「フラッシュ制御処理」の流れを示すフローチャートであり、図１１は、レンズユニットと画角との関係を示す図であり、図１２は、発光量の違いを説明するための図であり、図１３は、レンズユニットと発光量との関係を示す図である。
【００４５】
まず、ステップＳ１０１において、図４のステップＳ４７で取得したＲＦＩＤが撮像装置１０Ｂ（例えば、３５ｍｍフルサイズのＣＣＤ等の固体撮像素子を有するデジタル一眼レフカメラ）を示すＩＤであるのか否か（撮像装置１０Ａ（例えば、ＡＰＳ−ＣサイズのＣＣＤ等の固体撮像素子を有するデジタル一眼レフカメラ）を示すＩＤであるか）を判断する。そして、図４のステップＳ４７で取得したＲＦＩＤが３５ｍｍフルサイズのＣＣＤ等の固体撮像素子を有するデジタル一眼レフカメラを示すＩＤであるとステップＳ１０１で判断された場合（ステップＳ１０１：Ｙｅｓ）は、続くステップＳ１０２において、図４のステップＳ５１で取得したＲＦＩＤがレンズユニット４１（例えば、ＡＰＳ−Ｃサイズ用レンズユニット）を示すＩＤであるのか否か（レンズユニット４２（例えば、３５ｍｍフルサイズ用レンズユニット）を示すＩＤであるか）を判断する。
【００４６】
図４のステップＳ５１で取得したＲＦＩＤがＡＰＳ−Ｃサイズ用レンズユニットを示すＩＤでないと、ステップＳ１０２で判断された場合（ステップＳ１０２：Ｎｏ）、すなわち、図４のステップＳ４７で取得したＲＦＩＤが３５ｍｍフルサイズのＣＣＤ等の固体撮像素子を有するデジタル一眼レフカメラを示すＩＤであり、かつ、図４のステップＳ５１で取得したＲＦＩＤが３５ｍｍフルサイズ用レンズユニットを示すＩＤであると判断された場合は、ステップＳ１０３において、画角に応じた３５ｍｍフルサイズ用の発光量に設定する。
【００４７】
他方、図４のステップＳ４７で取得したＲＦＩＤがＡＰＳ−ＣサイズのＣＣＤ等の固体撮像素子を有するデジタル一眼レフカメラを示すＩＤであるとステップＳ１０１で判断された場合（ステップＳ１０１：Ｎｏ）、あるいは、図４のステップＳ５１で取得したＲＦＩＤがＡＰＳ−Ｃサイズ用レンズユニットを示すＩＤであるとステップＳ１０２で判断された場合（ステップＳ１０２：Ｙｅｓ）は、ステップＳ１０４において、画角に応じたＡＰＳ−Ｃサイズ用の発光量に設定する。
【００４８】
なお、図１１に示したように、ＡＰＳ−ＣサイズのＣＣＤ等の固体撮像素子の受光面は、３５ｍｍフルサイズのＣＣＤ等の固体撮像素子の受光面に比べて小さい分、被写体が映る範囲がおよそ３分の２にトリミングされるため、図１２に示したように、フラッシュの発光量は、ＡＰＳ−ＣサイズのＣＣＤ等の固体撮像素子を有するデジタル一眼レフカメラが必要とする発光量（図１２（Ａ））に比べ、３５ｍｍフルサイズのＣＣＤ等の固体撮像素子を有するデジタル一眼レフカメラが必要とする発光量（図１２（Ｂ））が大きい必要がある。
【００４９】
そして、ステップＳ１０５において、ステップＳ１０３あるいはステップＳ１０４で設定した発光量、例えば、図１３に示したように、被写体までの距離が２ｍの場合は、３５ｍｍフルサイズ用で１５ＧＮ（ガイドナンバー）、ＡＰＳ−Ｃサイズ用で１０ＧＮの発光量でフラッシュオンさせる。
【００５０】
図４の説明に戻り、ステップＳ５９において、撮像部１６が制御されることにより撮像した画像データを取り込み、ステップＳ６０において、サブルーチン「ケラレ対応処理」を実行する。
【００５１】
図１４は、サブルーチン「ケラレ対応処理」の流れを示すフローチャートである。
まず、ステップＳ１４１において、図４のステップＳ４７で取得したＲＦＩＤが撮像装置１０Ｂ（例えば、３５ｍｍフルサイズのＣＣＤ等の固体撮像素子を有するデジタル一眼レフカメラ）を示すＩＤであるのか否か（撮像装置１０Ａ（例えば、ＡＰＳ−ＣサイズのＣＣＤ等の固体撮像素子を有するデジタル一眼レフカメラ）を示すＩＤであるか）を判断する。そして、図４のステップＳ４７で取得したＲＦＩＤが３５ｍｍフルサイズのＣＣＤ等の固体撮像素子を有するデジタル一眼レフカメラを示すＩＤであるとステップＳ１４１で判断された場合（ステップＳ１４１：Ｙｅｓ）は、続くステップＳ１４２において、図４のステップＳ５１で取得したＲＦＩＤがレンズユニット４１（例えば、ＡＰＳ−Ｃサイズ用レンズユニット）を示すＩＤであるのか否か（レンズユニット４２（例えば、３５ｍｍフルサイズ用レンズユニット）を示すＩＤであるか）を判断する。
【００５２】
図４のステップＳ５１で取得したＲＦＩＤがＡＰＳ−Ｃサイズ用レンズユニットを示すＩＤであると、ステップＳ１４２で判断された場合（ステップＳ１４２：Ｙｅｓ）、すなわち、図４のステップＳ４７で取得したＲＦＩＤが３５ｍｍフルサイズのＣＣＤ等の固体撮像素子を有するデジタル一眼レフカメラを示すＩＤであり、かつ、図４のステップＳ５１で取得したＲＦＩＤがＡＰＳ−Ｃサイズ用レンズユニットを示すＩＤであると判断された場合は、ケラレが発生するので、ステップＳ１４３において、サブルーチン「ケラレ削除処理」を実行した後、図４のステップＳ６１へ進む。
【００５３】
ケラレとは、ＡＰＳ−Ｃサイズ用レンズユニットのようなレンズユニットを、３５ｍｍフルサイズのＣＣＤ等の固体撮像素子を有するデジタル一眼レフカメラのようなカメラに装着して撮影した際に、画面に現れる黒いワクのことである。図１１を用いて上述したように、ＡＰＳ−ＣサイズのＣＣＤ等の固体撮像素子の受光面は、３５ｍｍフルサイズのＣＣＤ等の固体撮像素子の受光面に比べて小さいので（図１５（Ａ）参照）、ケラレは発生しないが、ＡＰＳ−Ｃサイズ用レンズユニットを３５ｍｍフルサイズのＣＣＤ等の固体撮像素子を有するデジタル一眼レフカメラに装着した場合には、ケラレが発生する（図１５（Ｂ）参照）。
【００５４】
他方、図４のステップＳ４７で取得したＲＦＩＤがＡＰＳ−ＣサイズのＣＣＤ等の固体撮像素子を有するデジタル一眼レフカメラを示すＩＤであるとステップＳ１４１で判断された場合（ステップＳ１４１：Ｎｏ）、あるいは、図４のステップＳ５１で取得したＲＦＩＤが３５ｍｍフルサイズ用レンズユニットを示すＩＤであるとステップＳ１４２で判断された場合（ステップＳ１４２：Ｎｏ）も、図４のステップＳ６１へ進む。
【００５５】
図１６は、サブルーチン「ケラレ削除処理」の流れを示すフローチャートである。
まず、ステップＳ１６１において、図４のステップＳ５９で取り込んだ画像の四隅が黒か否か解析し、ステップＳ１６２において、四隅が黒か否か判断する。
【００５６】
四隅が黒であると判断された場合（ステップＳ１６２：Ｙｅｓ）は、ステップＳ１６３において、図４のステップＳ５９で取り込んだ画像から黒い部分を除いて切り出す。
図１７は、ケラレの削除を説明するための図である。
【００５７】
図１７において、固体撮像素子（３５ｍｍフルサイズ用固体撮像素子）６１に取り込まれた画像は、画素Ａ１乃至Ａ１６、Ｂ１乃至Ｂ１６、Ｃ１乃至Ｃ１６、Ｄ１乃至Ｄ１６、Ｅ１乃至Ｅ１６、Ｆ１乃至Ｆ１６、Ｇ１乃至Ｇ１６、Ｈ１乃至Ｈ１６、Ｉ１乃至Ｉ１６、Ｊ１乃至Ｊ１６、Ｋ１乃至Ｋ１６、Ｌ１乃至Ｌ１６、Ｍ１乃至Ｍ１６、Ｎ１乃至Ｎ１６、Ｏ１乃至Ｏ１６、Ｐ１乃至Ｐ１６の２５６画素から構成されている。このうち、画素Ａ１，Ａ１６，Ｐ１，Ｐ１６の４隅の４画素を含む、画素Ａ１，Ａ２，Ａ３，Ｂ１，Ｃ１と、画素Ａ１４，Ａ１５，Ａ１６，Ｂ１６，Ｃ１６と、画素Ｎ１，Ｏ１，Ｐ１，Ｐ２，Ｐ３と、画素Ｎ１６，Ｏ１６，Ｐ１６，Ｐ１５，Ｐ１４の計２０画素が黒であるので、少なくともこれら２０画素を除き、画素Ｂ２乃至Ｂ１５、Ｃ２乃至Ｃ１５、Ｄ２乃至Ｄ１５、Ｅ２乃至Ｅ１５、Ｆ２乃至Ｆ１５、Ｇ２乃至Ｇ１５、Ｈ２乃至Ｈ１５、Ｉ２乃至Ｉ１５、Ｊ２乃至Ｊ１５、Ｋ２乃至Ｋ１５、Ｌ２乃至Ｌ１５、Ｍ２乃至Ｍ１５、Ｎ２乃至Ｎ１５、Ｏ２乃至Ｏ１５が切り出される。
【００５８】
図４の説明に戻り、ステップＳ６１において、ステップＳ５９で取り込み、サブルーチン「ケラレ対応処理」によってケラレ対応した画像データを記録部１７の撮像画像記録領域もしくは記録媒体に格納してステップＳ５７に戻る。
【００５９】
他方、ステップＳ５７でシャッターが押されていないと判断された場合（ステップＳ５７：Ｎｏ）は、ステップＳ６２において、入力部１２の操作によりモード切り替えが実行されたか否か、すなわち、現在の撮影モードから撮影モード以外のモードへとモードの切り替えが実行されたか否かを判断する。モードの切り替えが実行されたと判断された場合（ステップＳ６２：Ｙｅｓ）は、ステップＳ６３において、メモリ１３中に格納された固体撮像素子の種類、レンズユニットの種類、カメラフードの位置情報等を初期値にリセットした後、ステップＳ４２に戻り、モードの切り替えが実行されていないと判断された場合（ステップＳ６２：Ｎｏ）は、ステップＳ６４において、本撮像処理を終了するか否かを判断し、終了しないと判断された場合（ステップＳ６４：Ｎｏ）は、ステップＳ５７に戻り、終了すると判断された場合、例えば電源キーの操作により主電源のオフが指示された場合（ステップＳ６４：Ｙｅｓ）は、本撮像処理を終了する。
【００６０】
以上、本発明の実施の形態を、図面を参照しながら説明してきたが、上述してきた本発明の実施の形態は、撮像装置の一機能としてハードウェアまたはＤＳＰ（Digital Signal Processor）ボードやＣＰＵボードでのファームウェアもしくはソフトウェアにより実現することができる。
【００６１】
また、本発明が適用される撮像装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００６２】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、撮像装置に供給し、それらの撮像装置のコンピュータがプログラムを読み出し実行することによっても、達成されることは言うまでもない。
【００６３】
この場合、可搬記録媒体等から読み出されたプログラム自体が本発明の新規な機能を実現することになり、そのプログラムを記録した可搬記録媒体等は本発明を構成することになる。
【００６４】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００６５】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００６６】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００６７】
すなわち、本発明は、以上に述べた実施の形態に限定されるものではなく、本発明の要旨を逸脱しない範囲内で種々の構成または形状を取ることができる。
【図面の簡単な説明】
【００６８】
【図１】本発明の概要を説明するための図である。
【図２】本発明を適用した撮像装置のハードウェア構成を示す図である。
【図３】撮像装置の構成の概略を示す図である。
【図４】本発明を適用した撮像装置において実行される撮像処理のメインの流れを示すフローチャートである。
【図５】サブルーチン「フード移動処理」の流れを示すフローチャートである。
【図６】カメラフードと固体撮像素子との関係を示す図である。
【図７】サブルーチン「リミッター対応処理」の流れを示すフローチャートである。
【図８】ズームレンズのリミットスイッチを説明するための図である。
【図９】ズームレンズのリミットスイッチによる焦点距離の範囲を表にした図である。
【図１０】サブルーチン「フラッシュ制御処理」の流れを示すフローチャートである。
【図１１】レンズユニットと画角との関係を示す図である。
【図１２】発光量の違いを説明するための図である。
【図１３】レンズユニットと発光量との関係を示す図である。
【図１４】サブルーチン「ケラレ対応処理」の流れを示すフローチャートである。
【図１５】ケラレを説明するための図である。
【図１６】サブルーチン「ケラレ削除処理」の流れを示すフローチャートである。
【図１７】ケラレの削除を説明するための図である。を示す図である。
【符号の説明】
【００６９】
１０Ａ，１０Ｂ    撮像装置
１１    ＣＰＵ
１２    入力部
１３    メモリ
１４    伝送制御部
１５    表示部
１６    撮像部
１７    記録部
１８    ＲＦＩＤ認識部
１９    バス
２２    絞り
２３    ＣＣＤ
２４    光学系駆動部
２６    取込制御部
２７    アナログ処理部
２８    Ａ／Ｄ変換部
２９    バッファ
３０    信号処理部回路
３１    圧縮伸長回路
４１    レンズユニット（ＡＰＳ−Ｃサイズ用レンズユニット）
４２    レンズユニット（３５ｍｍフルサイズ用レンズユニット）
４３    リミットスイッチ
５１    カメラフード（３５ｍｍフルサイズ用カメラフード）
５２    カメラフード（ＡＰＳ−Ｃサイズ用カメラフード）
６１    固体撮像素子（３５ｍｍフルサイズ用固体撮像素子）
６２    固体撮像素子（ＡＰＳ−Ｃサイズ用固体撮像素子）
【図１】
2008022447.tif 000003
【図２】
2008022447.tif 000004
【図３】
2008022447.tif 000005
【図４】
2008022447.tif 000006
【図５】
2008022447.tif 000007
【図６】
2008022447.tif 000008
【図７】
2008022447.tif 000009
【図８】
2008022447.tif 000010
【図９】
2008022447.tif 000011
【図１０】
2008022447.tif 000012
【図１２】
2008022447.tif 000013
【図１３】
2008022447.tif 000014
【図１４】
2008022447.tif 000015
【図１６】
2008022447.tif 000016
【図１１】
2008022447.tif 000017
【図１５】
2008022447.tif 000018
【図１７】
2008022447.tif 000019